(57)【要約】【課題】高速移動通信システムにおける多重スロット送信方式を用いてブロードキャスト／マルチキャストサービス（ＢＣＭＣＳ）を提供する際に、周辺環境に従ってデータを適応的に送信するための装置及び方法を提供する。【解決手段】少なくとも１つの第１のスロット期間の間に、固定送信形式に従ってブロードキャスト物理層パケットを初期送信するステップと、少なくとも１つの第２のスロット期間の間に、第１のスロット期間で使用された送信形式とは異なる可変送信形式を用いてブロードキャスト物理層パケットを再送信するステップと、を有する。【選択図】図８
2011030277.tif 000002
【特許請求の範囲】
【請求項１】
多重スロット送信及びハイブリッド自動再送要求（Ｈ-ＡＲＱ）を支援して直交周波数分割多重（ＯＦＤＭ）送信方式を使用する移動通信システムの送信方法であって、
送信スロットに少なくとも１つのＯＦＤＭシンボルを内部シンボルとして割り当て、前記内部シンボルの左側及び右側の各々に前記少なくとも１つのＯＦＤＭシンボルを境界シンボルとして割り当てるステップと、
初期送信が遂行される第１のスロット期間及び再送信が遂行される第２のスロット期間で、前記境界シンボル及び前記内部シンボルのパイロット対データトーン電力比（ＰＤＲ）が相互に異なるように、前記ＯＦＤＭシンボルを送信するステップと、
を有することを特徴とする方法。
【請求項２】
前記境界シンボルのＰＤＲが前記内部シンボルのＰＤＲより高いことを特徴とする請求項１に記載の送信方法。
【請求項３】
前記第２のスロット期間で、前記ＯＦＤＭシンボルのサイクリックプレフィックス（ＣＰ）長を再送信ごとに可変するステップをさらに有することを特徴とする請求項１に記載の送信方法。
【請求項４】
前記第２のスロット期間で、前記ＯＦＤＭシンボルの変調次数を再送信ごとに可変するステップをさらに有することを特徴とする請求項１に記載の送信方法。
【請求項５】
前記移動通信システムがブロードキャストシステムである場合には、前記第１及び第２のスロット期間の各々に適用された送信形式情報を具備するブロードキャストオーバーヘッドメッセージをブロードキャストするステップをさらに有し、前記送信形式情報は、前記ＰＤＲの設定に関連した情報を具備することを特徴とする請求項１に記載の送信方法。
【請求項６】
前記移動通信システムは、ブロードキャスト物理層パケットを送信する高速パケットデータ（ＨＲＰＤ）システムであることを特徴とする請求項１に記載の送信方法。
【請求項７】
多重スロット送信及びハイブリッド自動再送要求（Ｈ-ＡＲＱ）を支援して直交周波数分割多重（ＯＦＤＭ）送信方式を使用する移動通信システムにおけるブロードキャスト物理層パケットを受信する方法であって、
当該ブロードキャスト物理層パケットの初期送信が遂行される少なくとも１つの第１のスロット期間及び再送信が遂行される少なくとも１つの第２のスロット期間のパイロット対データトーン電力比（ＰＤＲ）情報を具備する送信形式情報をブロードキャストオーバーヘッドメッセージを介して受信するステップと、
前記ＰＤＲ情報に基づいて、対応するスロット期間のチャンネル推定を遂行することにより前記ブロードキャスト物理層パケットを受信するステップと、を有し、
前記第１及び第２のスロット期間の各々で、少なくとも１つのＯＦＤＭシンボルが内部シンボルとして割り当てられ、前記少なくとも１つのＯＦＤＭシンボルが前記内部シンボルの左側及び右側の各々に境界シンボルとして割り当てられ、前記第１のスロット期間で設定されたＰＤＲが前記第２のスロット期間で設定されたＰＤＲと異なることを特徴とする方法。
【請求項８】
前記境界シンボルのＰＤＲが前記内部シンボルのＰＤＲより高いことを特徴とする請求項７に記載の方法。
【請求項９】
多重スロット送信及びハイブリッド自動再送要求（Ｈ-ＡＲＱ）を支援して直交周波数分割多重（ＯＦＤＭ）送信方式を使用する移動通信システムの送信装置であって、
送信スロットに少なくとも１つのＯＦＤＭシンボルを内部シンボルとして割り当て、当該内部シンボルの左側及び右側の各々に前記少なくとも１つのＯＦＤＭシンボルを境界シンボルとして割り当てて、当該ＯＦＤＭシンボルを送信し、当該ＯＦＤＭシンボルにパイロットトーンを挿入するパイロットトーン挿入器を具備する送信部と、
初期送信が遂行される第１のスロット期間及び再送信が遂行される第２のスロット期間で、前記境界シンボル及び前記内部シンボルのパイロット対データトーン電力比（ＰＤＲ）が相互に異なるように、前記パイロットトーン挿入器の動作を制御する制御部と、
を有することを特徴とする送信装置。
【請求項１０】
前記制御部は、前記境界シンボルのＰＤＲが前記内部シンボルのＰＤＲより高いように、前記パイロットトーン挿入器の動作を制御することを特徴とする請求項９に記載の送信装置。
【請求項１１】
前記制御部は、前記第２のスロット期間で、前記ＯＦＤＭシンボルのサイクリックプレフィックス（ＣＰ）長を再送信ごとに可変するように、前記送信部の動作を制御することを特徴とする請求項９に記載の送信装置。
【請求項１２】
前記制御部は、前記第２のスロット期間で、前記ＯＦＤＭシンボルの変調次数を再送信ごとに可変するように、前記送信部の動作をさらに制御することを特徴とする請求項９に記載の送信装置。
【請求項１３】
前記制御部は、前記送信部を用いて前記第１及び第２のスロット期間の各々に適用された送信形式情報を具備するブロードキャストオーバーヘッドメッセージを生成してブロードキャストし、前記送信形式情報は、前記ＰＤＲの設定に関連した情報を具備することを特徴とする請求項９に記載の送信装置。
【請求項１４】
前記移動通信システムは、ブロードキャスト物理層パケットを送信する高速パケットデータ（ＨＲＰＤ）システムであることを特徴とする請求項９に記載の送信装置。
【請求項１５】
多重スロット送信及びハイブリッド自動再送要求（Ｈ-ＡＲＱ）を支援して直交周波数分割多重（ＯＦＤＭ）送信方式を使用する移動通信システムにおけるブロードキャスト物理層パケットを受信する装置であって、
当該ブロードキャスト物理層パケットの初期送信が遂行される少なくとも１つの第１のスロット期間及び再送信が遂行される少なくとも１つの第２のスロット期間のパイロット対データトーン電力比（ＰＤＲ）情報を具備する送信形式情報をブロードキャストオーバーヘッドメッセージを介して受信し、前記ブロードキャスト物理層パケットを受信して、前記ＰＤＲ情報に基づいて、対応するスロット期間のチャンネル推定を遂行するチャンネル推定器を具備する受信部と、
前記ブロードキャストオーバーヘッドメッセージを受信した場合には、前記ＰＤＲ情報に従って、前記チャネル推定器の動作を制御し、前記送信形式情報に従って前記受信部の全般的な動作を制御する制御部と、を有し、
前記第１及び第２のスロット期間の各々で、少なくとも１つのＯＦＤＭシンボルが内部シンボルとして割り当てられ、前記少なくとも１つのＯＦＤＭシンボルが前記内部シンボルの左側及び右側の各々に境界シンボルとして割り当てられ、前記第１のスロット期間で設定されたＰＤＲが前記第２のスロット期間で設定されたＰＤＲと異なることを特徴とする装置。
【請求項１６】
前記境界シンボルのＰＤＲが前記内部シンボルのＰＤＲより高いことを特徴とする請求項１５に記載の装置。
【発明の詳細な説明】
【技術分野】
【０００１】
本発明は、移動通信システムにおけるデータを送受信するための装置及び方法に関し、特に、移動通信システムにおけるブロードキャストデータを送受信するための装置及び方法に関する。
【背景技術】
【０００２】
通常、移動通信システムは、ユニキャストサービスを支援するために開発された。“ユニキャストサービス”は、基地局と１つの端末との間の通信を遂行することを意味する。すなわち、ユニキャストサービスにおいて、基地局は、同一のデータを複数の端末へ送信する代わりに、データを１つの端末のみへ送信する。音声サービス及び各種データサービスは、典型的なユニキャストサービスである。
【０００３】
一方、無線通信システム技術の急速な発展とともに、最近では、移動しつつブロードキャストサービスの提供を受けることができる技術が続々と開発されて、サービスが提供されている中であるか、あるいは、サービスの開始が差し迫っている状況にある。ここで、当該“ブロードキャストサービス”とは、ある基地局から複数の端末へ同一のサービスデータを送信する過程を意味する。かかるブロードキャストサービスは、一般空中波ブロードキャストサービスだけでなく複数の私設ブロードキャストサービスを提供でき、デジタルマルチメディアブロードキャスティング（ＤＭＢ）サービスの開始が差し迫っている。
【０００４】
また、移動通信システムでも、このようなブロードキャストサービスを提供するために多様な試みが行われており、これまで多くの方案が提案されている。３ＧＰＰ２（３rd Generation Partnership Project ２）で提案された高速パケットデータ（High Rate Packet Data；以下、“ＨＲＰＤ”と称する）システムは、これまで提案された移動通信システムのうち、ブロードキャストサービスを支援することができるシステムの典型的な一例である。
【０００５】
ＨＲＰＤシステムは、基本送信方法としてユニキャスト送信方法を採用し、ハイブリッド自動再送要求（hybrid Automatic Repeat Request；以下、“Ｈ−ＡＲＱ”と称する。）方法を採用している。また、符号分割多重化（Code Division Multiplexing；ＣＤＭ）に基づく送信方法及び直交周波数分割多重化（Orthogonal Frequency Division Multiplexing；以下、“ＯＦＤＭ”と称する。）に基づく送信方法は、説明の便宜上、移動通信システムで最近論議されているブロードキャスト／マルチキャストサービス（Broadcast/Multicast Service；ＢＣＭＣＳ）のための送信方法の例で提案された。ここで、“ＢＣＭＣＳ”は、説明の便宜上、ＨＲＰＤシステムで提供されたブロードキャストサービスを意味する。Ｈ−ＡＲＱ方式を用いてブロードキャスト信号を送信する方法は、ユニキャスト方式のように、複数のスロットを用いて１つの符号化パケット（encoder packet；ＥＰ）を複数のサブパケット（sub-packet）に分割して送信する方式を使用する。上記複数のサブパケットを受信した受信器は、増分冗長（Incremental Redundancy；以下、“ＩＲ”と称する。）方式を用いて上記複数のサブパケットを結合することにより復号を遂行する。すなわち、ブロードキャスト／マルチキャスト（Broadcast/Multicast；ＢＣＭＣ）送信方式とユニキャスト送信方式との差は、端末が受信されたデータに応じて基地局へ送信する応答信号（ＡＣＫ／ＮＡＣＫ）がなく、基地局が所定のスロット数だけ所定の時間の間に符号化パケットを構成する複数のサブパケットを送信するという点にある。また、ＨＲＰＤシステムにおいて、上記ユニキャスト方式及びＢＣＭＣ方式は、共通のエンコーディング及びデコーディング方法を使用し、エンコーディング方法は、よく知られているターボエンコーディング方式を使用することができる。
【０００６】
一方、ＨＲＰＤシステムを始めて大部分のパケットを送信する移動通信システムは、マルチスロットインターレース（multi-slot interlacing）方式を用いてデータを送信する。上記マルチスロットインターレース方式のうちで、４-スロットインターレース方式が代表的な方式である。
【０００７】
図１を参照して、４-スロットインターレース方式について説明する。
【０００８】
図１は、ＨＲＰＤシステムで使用された４-スロットインターレース方式を説明するためのタイミング図である。
【０００９】
図１に示すように、送信器は、４スロットの単位でデータを受信器へ送信する。すなわち、時点ｔ０〜ｔ１で、送信器は、１番目の送信（1st TX）１００を遂行する。上記送信された信号は、時点ｔ２の前に、受信器で受信された後に処理される。その後、受信器は、上記１番目に受信された信号１００に応じた応答信号（ＡＣＫ／ＮＡＣＫ）１０５を送信する。当該応答信号は、時点ｔ４の前に送信器に到達する。このとき、受信器が送信した応答信号がＡＣＫ（良好な受信）を示す場合には、送信器は、次のデータを送信する。しかしながら、受信器が送信した応答信号がＮＡＣＫ（良好でない受信）を示す場合には、送信器は、１番目に送信されたデータを再送信する。再送信のために、送信器は、受信器からの応答信号に応じて、時点ｔ５〜ｔ６で、２番目の送信（2nd TX）１１０を遂行する。同様に、上記送信された信号は、時点ｔ７の前に、受信器で受信された後に処理される。受信器は、上記受信された信号に応じた応答信号（ＡＣＫ／ＮＡＣＫ）１１５を送信する。該応答信号は、時点ｔ９の前に、送信器に到達する。
【００１０】
上述したように、受信器からの応答信号に基づいて、送信器は、送信データの初期送信を行うものであるか、或いは再送信を行うものであるかを決定する。すなわち、送信器は、４つのスロット単位で送信を遂行する。従って、受信器への送信が遂行されない残りの３つのスロットの間には、送信器は、残りのスロットを用いて他の端末へデータを送信するか、または受信器へ現在送信されているデータでない他のデータを送信することもできる。このような方式を４-スロットインターレース方式と呼ぶ。
【００１１】
前記４-スロットインターレース方式は、次のような理由のために使用される。送信器が１つのパケットを用いて生成された符号化シンボルの一部又は全てを送信した後に、受信器が上記送信された符号化シンボルの受信に失敗した場合には、送信器は、対応するパケットの符号化シンボルの一部又は全てを再送信して、受信器の受信性能を増加させなければならない。ＨＲＰＤシステムにおいて、再送信の最大回数は、所定の値で制限される。
【００１２】
一方、４-スロットインターレース方式を使用すれば、所定数のスロット単位で相互に異なるブロードキャストサービスを提供することができる。これについては、図２を参照して説明する。
【００１３】
図２は、４-スロットインターレース方式を支援するＨＲＰＤシステムにおける各スロット単位で相互に異なるブロードキャストサービスが提供される場合を説明するためのタイミング図である。
【００１４】
図２において、各斜めの斜線部分の一部は、４の倍数（４ｎ）に該当するスロットを示し、各水平の斜線部分の一部は、４の倍数に該当するスロットの次のスロットを示すと仮定する。斜めの斜線スロットと水平の斜線スロットとは、特定のブロードキャストサービスのために割り当てられたスロットである。４-スロットインターレース方式は、当該ブロードキャストサービスのために割り当てられたスロットにも適用されていることを理解することができる。当該ブロードキャストサービスのために割り当てられた各スロットを介してパケットデータを送信するための方法の例について説明する。
【００１５】
図２において、参照符号２１１は、第１のパケットＰ１の初期送信を示し、参照符号２１２は、第１のパケットＰ１の１番目の再送信を示し、参照符号２１３は、第１のパケットＰ１の２番目の再送信を示す。この後、上記インターレース方式の同一のスロットでは、次のパケット、つまり、第３のパケットＰ３ ２３１が送信される。１つのデータパケットが最大３回まで送信されることができるように送信回数が設定されるとしても、該送信回数は、これに限定されない。同様に、第２のパケットＰ２に対しても、初期送信２２１、１番目の再送信２２２、及び２番目の再送信２２３が遂行された後に、次のパケットである第４のパケットＰ４ ２４１が送信される。第３のパケットＰ３及び第４のパケットＰ４に対しても、初期送信２３１及び２４１と、１番目の再送信２３２及び２４２と、２番目の再送信２３３及び２４３とが遂行される。
【００１６】
下記では、ブロードキャストサービスを提供するために、システムで提供された各種メッセージ及びブロードキャストサービスを提供するための方法についての詳細について説明する。ＨＲＰＤシステムは、オーバーヘッドシグナリングメッセージを用いてＢＣＭＣＳのためのブロードキャスト物理層パケット（Broadcast Physical Layer Packet）（以下、“パケット”と略称する。）の受信のためのパケット送信情報を送信する。かかるオーバーヘッド信号メッセージは、セルで送信されたＢＣＭＣフローＩＤと、各ＢＣＭＣＳパケットを送信するための周波数割当（Frequency Allocation；ＦＡ）情報、送信スロットの位置情報、送信率、送信スロットの数、及びリードソロモン（Reed-Solomon；ＲＳ）符号化情報を具備する。端末は、ＢＣＭＣＳオーバーヘッドメッセージを受信した後に、ユーザーが受信することを希望するＢＣＭＣＳパケットの送信情報を用いて対応するスロットで対応するパケットを受信する。
【００１７】
一般的に、ＢＣＭＣＳが複数の端末へ同一の情報を送信するので、全ての基地局は、移動通信システムにおけるＢＣＭＣＳを提供するために、ＢＣＭＣＳスロットで同一のパケットを送信する。端末は、各基地局からのパケットを１回に受信し、ソフト結合（soft combing）を介して端末の受信性能を高め、これにより、１つのセルから受信された信号を用いてパケットを受信する方法に比べて、性能を著しく増加させることができる。
【００１８】
一方、ＢＣＭＣＳは、各スロットで同一の送信形式を用いて複数のスロットを介してデータを送信する。この場合には、ＢＣＭＣＳは、受信性能がさらに低い地域に対しては再送信回数を増加させる。このように、ＢＣＭＣＳは、送信スロットの数が増加する地域でも、同一のＯＦＤＭシンボルの構成又は変調方式を使用する。
【００１９】
他方、ＢＣＭＣＳで使用されたＯＦＤＭシンボルの構成は、受信器が位置した地域での最大信号遅延のような周辺環境を考慮して設計される。従って、再送信時点では、隣接した一部のセルだけが再送信に参加するので、受信器が受信することを希望するＯＦＤＭ信号の最大信号遅延値が減少する。一般的に、最大信号遅延を考慮して、サイクリックプレフィックス（Cyclic Prefix；ＣＰ）をＯＦＤＭシンボルに挿入する。ＣＰのサイズは、送信データの量によって決まる。すなわち、ＣＰのサイズの増加は、送信データの量を減少させ、ＣＰのサイズの減少は、送信データの量を増加させる。しかしながら、現在のＢＣＭＣＳ方式は、再送信の間には、変化した周辺環境を考慮せず、固定送信形式を使用する。その結果、ＣＰを不必要に長く設定して、無線資源を浪費するという短所があった。
【００２０】
従って、移動通信システムにおけるブロードキャストデータを送受信するための向上した装置及び方法が必要とされた。
【先行技術文献】
【特許文献】
【００２１】
【特許文献１】米国特許出願公開第２００５／００１８６３３号
【発明の概要】
【発明が解決しようとする課題】
【００２２】
上記背景に鑑みて、本発明の目的は、高速移動通信システムにおける多重スロット送信方式を用いてブロードキャスト／マルチキャストサービス（ＢＣＭＣＳ）を提供する際に、周辺環境に従ってデータを適応的に送信するための装置及び方法を提供することにある。
【００２３】
本発明の他の目的は、高速移動通信システムにおける再送信回数に従って可変送信形式でデータを送信することによってＢＣＭＣＳを提供するための装置及び方法を提供することにある。
【００２４】
本発明のさらなる目的は、高速移動通信システムにおけるＢＣＭＣＳを提供する際に、無線資源の効率を増加させるための送受信装置及び方法を提供することにある。
【課題を解決するための手段】
【００２５】
上記のような目的を達成するために、本発明の一方の側面によれば、多重スロット送信及びハイブリッド自動再送要求（Ｈ-ＡＲＱ）を支援する移動通信システムにおけるブロードキャスト物理層パケットを送信するための方法が提供される。かかる方法は、少なくとも１つの第１のスロット期間の間に、第１の送信形式に従って当該ブロードキャスト物理層パケットを送信するステップと、少なくとも１つの第２のスロット期間の間に、当該ブロードキャスト物理層パケットを上記第１のスロット期間で使用された上記第１の送信形式とは異なる第２の送信形式を用いて再送信するステップと、を有することを特徴とする。
【００２６】
本発明の他の側面によれば、多重スロット送信及びハイブリッド自動再送要求（Ｈ-ＡＲＱ）を支援する移動通信システムにおけるブロードキャスト物理層パケットを受信するための方法が提供される。かかる方法は、当該ブロードキャスト物理層パケットの送信形式情報をブロードキャストオーバーヘッドメッセージを介して受信するステップと、上記送信形式情報に従って、少なくとも１つの第１のスロット期間の間に、固定送信形式で初期送信される当該ブロードキャスト物理層パケットを受信するステップと、上記送信形式情報に従って、少なくとも１つの第２のスロット期間の間に、上記第１のスロット期間で使用された送信形式とは異なる可変送信形式で再送信される当該ブロードキャスト物理層パケットを受信するステップと、を有することを特徴とする。
【００２７】
本発明の他の側面によれば、多重スロット送信及びハイブリッド自動再送要求（Ｈ-ＡＲＱ）を支援する移動通信システムにおけるブロードキャスト物理層パケットを送信するための装置が提供される。かかる装置は、初期送信及び再送信の際の送信形式が相互に異なるようにブロードキャスト物理層パケットを生成する送信部と、該送信部で生成された上記ブロードキャスト物理層パケットを無線周波数信号に周波数アップコンバートする無線周波数（ＲＦ）部と、少なくとも１つの第１のスロット期間の間に、固定送信形式に従って上記ブロードキャスト物理層パケットを初期送信し、少なくとも１つの第２のスロット期間の間に、上記第１のスロット期間で使用された送信形式とは異なる可変送信形式を用いて上記ブロードキャスト物理層パケットを再送信するように、上記送信部及び上記ＲＦ部の動作を制御する制御部と、を有することを特徴とする。
【００２８】
本発明の他の側面によれば、多重スロット送信及びハイブリッド自動再送要求（Ｈ-ＡＲＱ）を支援する移動通信システムにおけるブロードキャスト物理層パケットを送信するための装置が提供される。かかる装置は、無線上で受信されたブロードキャスト物理層パケットを基底帯域信号に変換するための無線周波数（ＲＦ）部と、当該ブロードキャスト物理層パケットを初期送信及び再送信の際に使用された対応する送信形式に従って受信し、該受信されたブロードキャスト物理層パケットを元来の信号に復元する受信部と、当該ブロードキャスト物理層パケットの送信形式情報を具備するブロードキャストオーバーヘッドメッセージを受信した場合には、上記送信形式情報に従って、少なくとも１つの第１のスロット期間の間に、固定送信形式で初期送信される上記ブロードキャスト物理層パケットを受信し、上記送信形式情報に従って、少なくとも１つの第２のスロット期間の間に、上記第１のスロット期間で使用された送信形式とは異なる可変送信形式で再送信される上記ブロードキャスト物理層パケットを受信するように、上記ＲＦ部及び上記受信部の動作を制御する制御部と、を有することを特徴とする。
【００２９】
本発明の他の側面によれば、多重スロット送信及びハイブリッド自動再送要求（Ｈ-ＡＲＱ）を支援してブロードキャストサービスを提供する移動通信システムが提供される。かかるシステムは、少なくとも１つの第１のスロット期間の間に、固定送信形式に従ってブロードキャスト物理層パケットを初期送信し、少なくとも１つの第２のスロット期間の間に、上記第１のスロット期間で使用された送信形式とは異なる可変送信形式を用いて上記ブロードキャスト物理層パケットを再送信する少なくとも１つの基地局と、該基地局から上記ブロードキャスト物理層パケットの送信形式情報を具備するブロードキャストオーバーヘッドメッセージを受信すると、対応する送信形式に従って、上記第１及び第２のスロット期間で初期送信されて再送信される上記ブロードキャスト物理層パケットを受信する少なくとも１つの端末と、を有することを特徴とする。
【００３０】
本発明の他の側面によれば、多重スロット送信及びハイブリッド自動再送要求（Ｈ-ＡＲＱ）を支援して直交周波数分割多重（ＯＦＤＭ）送信方式を使用する移動通信システムの送信方法は、送信スロットに少なくとも１つのＯＦＤＭシンボルを内部シンボルとして割り当て、上記内部シンボルの左側及び右側の各々に上記少なくとも１つのＯＦＤＭシンボルを境界シンボルとして割り当てるステップと、初期送信が遂行される第１のスロット期間及び再送信が遂行される第２のスロット期間で、上記境界シンボル及び上記内部シンボルのパイロット対データトーン電力比（ＰＤＲ）が相互に異なるように、上記ＯＦＤＭシンボルを送信するステップと、を有することを特徴とする。
【００３１】
本発明の他の側面によれば、多重スロット送信及びハイブリッド自動再送要求（Ｈ-ＡＲＱ）を支援して直交周波数分割多重（ＯＦＤＭ）送信方式を使用する移動通信システムにおけるブロードキャスト物理層パケットを受信する方法が提供される。かかる方法は、当該ブロードキャスト物理層パケットの初期送信が遂行される少なくとも１つの第１のスロット期間及び再送信が遂行される少なくとも１つの第２のスロット期間のパイロット対データトーン電力比（ＰＤＲ）情報を具備する送信形式情報をブロードキャストオーバーヘッドメッセージを介して受信するステップと、上記ＰＤＲ情報に基づいて、対応するスロット期間のチャンネル推定を遂行することにより上記ブロードキャスト物理層パケットを受信するステップと、を有する。上記第１及び第２のスロット期間の各々で、少なくとも１つのＯＦＤＭシンボルが内部シンボルとして割り当てられ、上記少なくとも１つのＯＦＤＭシンボルが上記内部シンボルの左側及び右側の各々に境界シンボルとして割り当てられ、上記第１のスロット期間で設定されたＰＤＲが上記第２のスロット期間で設定されたＰＤＲと異なることを特徴とする。
【００３２】
本発明の他の側面によれば、多重スロット送信及びハイブリッド自動再送要求（Ｈ-ＡＲＱ）を支援して直交周波数分割多重（ＯＦＤＭ）送信方式を使用する移動通信システムの送信装置が提供される。かかる装置は、送信スロットに少なくとも１つのＯＦＤＭシンボルを内部シンボルとして割り当て、当該内部シンボルの左側及び右側の各々に上記少なくとも１つのＯＦＤＭシンボルを境界シンボルとして割り当てて、当該ＯＦＤＭシンボルを送信し、当該ＯＦＤＭシンボルにパイロットトーンを挿入するパイロットトーン挿入器を具備する送信部と、初期送信が遂行される第１のスロット期間及び再送信が遂行される第２のスロット期間で、上記境界シンボル及び上記内部シンボルのパイロット対データトーン電力比（ＰＤＲ）が相互に異なるように、上記パイロットトーン挿入器の動作を制御する制御部と、を有することを特徴とする。
【００３３】
本発明の他の側面によれば、多重スロット送信及びハイブリッド自動再送要求（Ｈ-ＡＲＱ）を支援して直交周波数分割多重（ＯＦＤＭ）送信方式を使用する移動通信システムにおけるブロードキャスト物理層パケットを受信する装置は、上記ブロードキャスト物理層パケットの初期送信が遂行される少なくとも１つの第１のスロット期間及び再送信が遂行される少なくとも１つの第２のスロット期間のパイロット対データトーン電力比情報を具備する送信形式情報をブロードキャストオーバーヘッドメッセージを介して受信し、上記ブロードキャスト物理層パケットを受信して、上記ＰＤＲ情報に基づいて、対応するスロット期間のチャンネル推定を遂行するチャンネル推定器を具備する受信部と、上記ブロードキャストオーバーヘッドメッセージを受信した場合には、上記ＰＤＲ情報に従って、上記チャネル推定器の動作を制御し、上記送信形式情報に従って上記受信部の全般的な動作を制御する制御部と、を有し、上記第１及び第２のスロット期間の各々で、少なくとも１つのＯＦＤＭシンボルが内部シンボルとして割り当てられ、上記少なくとも１つのＯＦＤＭシンボルが上記内部シンボルの左側及び右側の各々に境界シンボルとして割り当てられ、上記第１のスロット期間で設定されたＰＤＲが上記第２のスロット期間で設定されたＰＤＲと異なることを特徴とする。
【発明の効果】
【００３４】
本発明の実施形態による移動通信システムは、ブロードキャストデータを送信する際に、初期送信及び再送信に対する送信方式を変更することにより、無線資源の効率性を高めることができ、ブロードキャストデータの送信をさらに容易にすることができるという長所を有する。
【図面の簡単な説明】
【００３５】
【図１】ＨＲＰＤシステムで使用される４-スロットインターレース方式を説明するためのタイミング図である。
【図２】４-スロットインターレース方式を支援するＨＲＰＤシステムにおける各スロットの単位で相互に異なるブロードキャストサービスが提供される場合を説明するためのタイミング図である。
【図３】本発明の実施形態によるブロードキャストサービスを提供するためのシステムの構成を示す図である。
【図４】本発明の実施形態によるＨＲＰＤシステムにおけるブロードキャストサービスのための１つのスロットを構成するパケットデータの一例を示す図である。
【図５Ａ】本発明の実施形態よる移動通信システムにおける各基地局のセル領域でブロードキャストサービスを同期方式で提供する際の送信成功率に基づくセル分布を示す図である。
【図５Ｂ】本発明の実施形態よる移動通信システムにおける各基地局のセル領域でブロードキャストサービスを同期方式で提供する際の送信成功率に基づくセル分布を示す図である。
【図５Ｃ】本発明の実施形態よる移動通信システムにおける各基地局のセル領域でブロードキャストサービスを同期方式で提供する際の送信成功率に基づくセル分布を示す図である。
【図６】本発明の実施形態によるＢＣＭＣＳトラフィックを送信するための基地局送信器の構成を示すブロック図である。
【図７】本発明の実施形態によるＯＦＤＭシンボルを受信するための受信器の内部構成を示すブロック図である。
【図８】本発明の実施形態による基地局におけるブロードキャストサービストラフィックを送信する過程を示すフローチャートである。
【図９】本発明の実施形態による端末におけるブロードキャストサービストラフィックを受信する過程を示すフローチャートである。
【図１０】本発明の他の実施形態による４-スロットインターレース方式で２回の再送信を遂行する場合を示すタイミング図である。
【発明を実施するための形態】
【００３６】
以下、本発明の好適な一実施形態を、添付図面を参照しつつ詳細に説明する。また、下記の説明において、特定事項が示されるが、これは、本発明のより全般的な理解のために提供されたもので、このような特定事項なしにも本発明が実施されることができることは、当該技術分野における通常の知識を有する者には明らかである。なお、本発明を説明するに際して、本発明の要旨のみを明瞭にする目的で、関連した公知の機能又は構成に関する具体的な説明は、適宜省略する。
【００３７】
図３は、本発明の実施形態によるブロードキャストサービスを提供するためのシステムの構成を示す図である。図３を参照して、本発明の実施形態によるブロードキャストサービスシステムについて説明する。
【００３８】
図３において、基地局（基地局送受信器（ＢＴＳｓ））３１１及び３１２は、ブロードキャスト／マルチキャストサービス（ＢＣＭＣＳ）を端末３０１に提供する最終ノードである。基地局３１１及び３１２は、関連するシステムのブロードキャスト方式に従って、ブロードキャストサービスを提供する。本発明では、基地局３１１及び３１２が高速パケットデータ（ＨＲＰＤ）システムに関連すると仮定する。ブロードキャストサービスを提供するための基地局の具体的な構成及び動作については、添付の図面を参照してさらに詳細に説明する。基地局は、従来技術で説明した通りに、例えば、４-スロットインターレース方式を用いてブロードキャストサービスを提供し、最大送信回数内でデータを送信する。送信データの形式についての詳細な説明は、後述する。基地局３１１及び３１２の各々は、ユニキャスト基地局制御器（ＢＳＣ／ＰＣＦ）３１３及びマルチキャスト基地局制御器（ＢＳＣ／ＰＣＦ）３１４に接続され、対応する基地局制御器３１３及び３１４の制御によって動作する。
【００３９】
基地局制御器（ＢＳＣｓ／ＰＣＦｓ）３１３及び３１４は、基地局３１１及び３１２の動作を制御し、上位層からブロードキャスト／マルチキャスト（Broadcast/Multicast；ＢＣＭＣ）データを受信し、ＢＣＭＣデータを対応する基地局３１１及び３１２へ送信する。ユニキャストＢＳＣ／ＰＣＦ３１３は、シグナリング情報を送信する機能を遂行し、マルチキャストＢＳＣ／ＰＣＦ３１４は、ブロードキャストコンテンツを送信する機能を遂行する。この際、ユニキャストＢＳＣ／ＰＣＦ３１３は、ブロードキャストオーバーヘッドメッセージとともに、ブロードキャストサービスデータの送信回数、送信スロットの数、及び送信スロットの位置を基地局３１１及び３１２に提供することができる。ユニキャストＢＳＣ／ＰＣＦ３１３は、上位層又は同一層のパケット制御機能部（Packet Control Function；ＰＣＦ）に接続されて１つの個体で表現されている。
【００４０】
ユニキャストＢＳＣ／ＰＣＦ３１３内のＰＣＦは、パケットデータサービスに対する各種制御を担当する。パケットデータサービスノード（ＰＤＳＮ）３１５に接続されたユニキャストＢＳＣ／ＰＣＦ３１３の上位層は、ＢＣＭＣ制御器３１７と連動することができる。ＢＣＭＣ制御器３１７は、コンテンツプロバイダー（Content provider）３１９からブロードキャストトラフィックデータ又はマルチキャストトラフィックデータの制御情報を受信することができる。一方、マルチキャストＢＳＣ／ＰＣＦ３１４は、ブロードキャストサービスノード（ＢＳＮ）３１６に接続される。ＢＳＮ３１６は、ＢＣＭＣコンテンツを中継して役割をする。ＢＳＮ３１６は、コンテンツサーバ３１８からブロードキャストコンテンツを受信する。コンテンツサーバ３１８は、コンテンツプロバイダー３１９からブロードキャストコンテンツを受信する。図３において、太い線は、ブロードキャストコンテンツが送信されるベアラー経路（bearer path）を示し、実線は、シグナリング経路を示す。上述した装置は、論理的な装置であるが、これらは、実際の実現に際して、１つの物理的な装置で実現されることもできる。
【００４１】
ＢＣＭＣが上述したシステムでなされる際における基地局３１１及び端末３０１の動作についての詳細な説明は、後述する。
【００４２】
まず、基地局３１１について説明する。基地局３１１は、可能なブロードキャストサービスに関する情報をブロードキャストオーバーヘッドメッセージを介して端末３０１へ提供する。ブロードキャストオーバーヘッドメッセージは、周期的に送信され、端末３０１が特定のブロードキャストサービスの送信を要求する場合には、基地局３１１は、該当するブロードキャストサービスの送信のための動作を遂行する。すなわち、基地局３１１が要求されたブロードキャストトラフィックを上位層から現在受信している場合には、ブロードキャストトラフィックをマルチキャスト方式で送信する。他方、基地局３１１が要求されたブロードキャストトラフィックを上位層から現在受信していない場合には、当該要求されたブロードキャストトラフィックを上位層から受信し、該受信されたブロードキャストトラフィックをマルチキャストするように準備する。かかる準備が完了すると、基地局３１１は、当該要求されたブロードキャストトラフィックをマルチキャストして、端末３０１がこれを受信することができるようにする。
【００４３】
一般的に、ブロードキャスト信号は、幾つかの基地局によって同時に送信される。基地局３１１及び３１２は、周期的にブロードキャストオーバーヘッドメッセージをブロードキャストする。基地局３１１及び３１２がカバーすることができる地域に位置した全ての端末がブロードキャストオーバーヘッドメッセージを受信することができ、ＢＣＭＣＳを受信することを希望する端末は、まず、周期的に送信されたブロードキャストオーバーヘッドメッセージを受信しなければならない。従って、基地局は、ブロードキャストオーバーヘッドメッセージの使用とともに、ＢＣＭＣフローＩＤ、ブロードキャストサービスを現在提供しているか否かを示す情報、ブロードキャストスロットの期間、拡張された（Extended）ＢＣＭＣ（ＥＢＣＭＣ）送信形式、パイロット対データトーン電力比（ＰＤＲ）、デュアルＰＤＲが設定されるか否かを示す情報、及び変調方法などのような多様なブロードキャスト受信情報を端末に提供する。
【００４４】
基地局は、本発明の実施形態によるブロードキャストトラフィックのＥＢＣＭＣ送信形式をブロードキャストオーバーヘッドメッセージとともに送信する。ＥＢＣＭＣ送信形式は、特定の送信形式を示すフィールドである。すなわち、端末３０１及び基地局３１１は、予め定義された送信形式を具備するか、又は、初期登録の間に、ＥＢＣＭＣ送信形式を端末３０１に提供して、端末３０１と基地局３１１とは、相互に約束された送信形式を認識することができる。従って、基地局３１１は、端末３０１が初期動作の際に必要とする場合に、ＥＢＣＭＣ送信形式情報を端末３０１へ送信する。本発明の実施形態による基地局３１１及び端末３０１は、これらの内部にＥＢＣＭＣ送信形式セットを有しているので、ＥＢＣＭＣ送信形式だけでもどんな形式を使用するものであるかを判定することができる。また、端末の認証が必要とされる場合には、該当する端末から認証要求信号を受信すると、基地局は、当該認証要求信号を上位層に伝達して、認証に必要とされる手順を遂行することができる。
【００４５】
次いで、端末３０１は、基地局３１１が送信したユニキャスト又はＢＣＭＣ信号を受信するための装置である。従って、従来技術で説明した通り、ユニキャストサービスを受信した場合には、端末３０１は、受信されたデータに応じた応答信号（ＡＣＫ／ＮＡＣＫ）を基地局３１１へ送信することができる。しかしながら、ＢＣＭＣＳを受信した場合には、端末３０１は、基地局３１１からブロードキャストオーバーヘッドメッセージ及びブロードキャストトラフィック信号を受信し、該受信されたブロードキャストオーバーヘッドメッセージ及びブロードキャストトラフィック信号を処理する。ブロードキャストオーバーヘッドメッセージを受信した後に、端末３０１は、自身が受信することを希望するブロードキャストサービスに関する情報だけを用いて、ブロードキャスト信号の受信を試みる。認証又はブロードキャスト送信要求（Registration）が必要とされる場合には、別途のチャンネルを用いて、当該認証又はブロードキャスト送信要求を遂行する。端末３０１は、ブロードキャストオーバーヘッドメッセージに基づいて、該当するブロードキャストが送信される期間、マルチスロット送信の間における送信形式を示すＥＢＣＭＣ送信形式、ＰＤＲ、デュアルＰＤＲ設定情報などを受信して、ＢＣＭＣＳを受信することができる。
【００４６】
ＨＲＰＤシステムにおいて、１つのスロットを通して送信されたブロードキャストトラフィックのパケット構成について説明する。
【００４７】
図４は、本発明の実施形態によるＨＲＰＤシステムにおけるブロードキャストサービスのための１つのスロットを構成するパケットデータの一例を示す図である。
【００４８】
図４を参照すると、１つのスロット４００は、半分のスロット（half slot）に分けられる。スロットの前半及び後半は、同一の構成を有するので、前半のスロット４１０について説明する。前半のスロット４１０は、総１０２４個のチップで構成される。１０２４個のチップのうち、最初４００個のチップがデータを構成し、次の６４個のチップがメディアアクセス制御（ＭＡＣ）のために使用され、その次の９６個のチップが中央に位置したパイロットシンボルを構成する。そして、次の６４個のチップがＭＡＣを構成し、最後の４００個のチップがデータを構成する。このように、４００個のチップのデータがユニキャスト形式のデータである場合には、ＣＤＭで送信され、４００個のチップのデータがＢＣＭＣＳデータである場合には、ＯＦＤＭで送信されると仮定する。図４では、ブロードキャストサービスタイプがＢＣＭＣＳであるので、４００個のチップのデータが１つのＯＦＤＭシンボルを構成すると仮定する。
【００４９】
当該１つのＯＦＤＭシンボルは、有効データ（payload）のうちの最後の一部分をコピー（copy）し、該コピーされた一部分を有効データの前半部に付け加えることにより生成されたサイクリックプレフィックス（ＣＰ）を有する。従来技術で説明した通り、ＣＰは、シンボル間の干渉（ＩＳＩ）を除去するために、最大送信遅延時間に該当する長さを有しなければならない。本発明の実施形態において、ＣＰ長は、送信回数に従って可変である。ＣＰ長が送信回数に従って可変でなければならない理由については、図５Ａ乃至図５Ｃを参照して説明する。
【００５０】
図５Ａ乃至図５Ｃは、本発明の実施形態よる移動通信システムにおける各基地局のセル領域でブロードキャストサービスを同期方式で提供する際の送信成功率に基づくセル分布を示す図である。
【００５１】
図５Ａ乃至図５Ｃにおいて、各六角形セル｛は、１つの基地局の領域又は１つのセクターの領域を意味する。説明の便宜上、１つの六角形セルが１つの基地局の領域を示すと仮定する。この場合に、初期送信が遂行されると、図５Ａに示すように、ＢＣＭＣＳ受信性能がよくない度複数のセル５００、５１０、５２０、５３０、及び５４０が存在する。ＢＣＭＣＳ受信性能がよくない複数のセルが存在するため、受信性能がよくない複数のセル及びこれらの隣接セルのみが４-スロットインターレース方式に従って、次の４番目のスロットで同一のデータをさらに送信するか、又は他のインターレース方式を用いて同一のデータを再送信する。その結果、図５Ｂに示すように、ＢＣＭＣＳ受信性能がよくないセル５１０及び５４０の数が著しく減少する。これは、端末が２回にわたって受信されたデータをＩＲ方式で結合することにより、復号成功確率を高めることができるためである。
【００５２】
受信性能がよくない複数のセル及びこれらの隣接セルのみが４-スロットインターレース方式に従って、次の４番目のスロットで３番目の送信を遂行する場合には、図５Ｃに示すように、受信性能がよくないセルが存在しない。このような方式で再送信を遂行する場合には、初期送信がなされた後の時点で、ＢＣＭＣＳを提供しなければならない基地局の数が減少する。その結果、２番目の送信からは、ＣＰ長が減少しても、シンボル間の干渉を減少させることができる。従って、２番目の送信からは、初期送信に使用された形式とは異なる形式でデータを送信しても、受信成功確率を高めることができ、これにより、ＣＰ長を自由に可変させることができる。
【００５３】
図６は、本発明の実施形態によるＢＣＭＣＳトラフィックを送信するための基地局送信器の構成を示すブロック図である。図６の送信器は、本発明の実施形態で提案されたＥＢＣＭＣ送信形式に従って、ブロードキャスト物理層パケット、すなわち、ブロードキャストトラフィックを用いてＯＦＤＭシンボルを生成する送信部と、スロット期間の間に、ＥＢＣＭＣ送信形式に基づくブロードキャストトラフィックを無線周波数（ＲＦ）信号に周波数アップコンバートするＲＦ部と、ＥＢＣＭＣ送信形式に基づくＯＦＤＭシンボルの生成を制御し、初期送信及び再送信動作の間に、ブロードキャストトラフィックが該当するスロット期間の間に送信されるように、送信部及びＲＦ部の動作を制御する制御部と、を有する。
【００５４】
まず、制御部６３１は、基地局の全般的な動作を制御する。特に、本発明の実施形態では、制御部６３１は、ＢＣＭＣＳトラフィック送信の間に、送信回数に基づく形式インデックス及びパケットサイズと、最大送信スロットの数に関する情報とを上位ノード（図示せず）又はスケジューラ（図示せず）から受信する。制御部６３１は、該受信された情報に基づいて図６に示す各ブロックを制御する。すなわち、制御部６３１は、符号化器６２７の符号化率を制御し、インターリーバ６２５のインターリービング過程及び送信ブロック生成器６２１の送信ブロックサイズを制御し、変調器６１９の変調を制御し、ガードトーン挿入器６１７により挿入されるガードトーンを制御し、パイロットトーン挿入器６１５で遂行されたパイロットトーン挿入を制御し、逆高速フーリエ変換（ＩＦＦＴ）処理器６１３で遂行されたＩＦＦＴを制御し、ＣＰ挿入器６１１で遂行されたＣＰ挿入を制御する。
【００５５】
図６において、メモリ６２９は、上位層から受信された送信データを一時的に記憶するための領域であり、一般的に、キュー（Queue）を有するか、又は、バッファの形態で構成されることができる。メモリ６２９は、各サービスデータに対応して記憶する領域を有し、送信時点がスケジューラ（図示せず）により到達するまで、送信データを一時的に記憶する機能を遂行する。この送信時点がスケジューラにより到来する場合には、各サービス別又はユーザ別にメモリ６２９に記憶されているデータは、制御部６３１から出力された制御信号に従って符号化器６２７へ出力される。
【００５６】
符号化器６２７は、制御部６３１の制御によってメモリ６２９から受信されたデータをチャンネル符号化する。代表的なチャンネル符号化装置は、ターボ符号化器を具備し、パケットサイズに従って符号化率が異なることができる。符号化器６２７から出力された信号は、インターリーバ６２５へ入力される。インターリーバ６２５は、制御部６３１から受信されたパケットサイズ情報に従って符号化されたシンボルをインターリービングする。このようなインターリービングは、チャンネルのバーストエラーを防止するために、符号化されたシンボルの位置を変更する過程である。上記インターリービングされたシンボルは、１つのパケット単位でバッファ６２３に一時的に記憶される。送信ブロック生成器６２１は、送信時点、すなわち、現在の送信スロットで、ビット単位でバッファ６２３に一時的に記憶されたパケットを抽出することにより送信ブロックを生成する。このように、送信ブロック生成器６２１により抽出された送信ブロックは、変調器６１９へ入力される。変調器６１９は、制御部６３１から受信された変調次数情報に従って入力された符号化ビットを変調する。
【００５７】
変調器６１９により変調されたビットは、ガードトーン挿入器６１７へ入力される。ガードトーン挿入器６１７は、制御部６３１の制御下に、挿入されるガードトーンの数及び位置情報を取得して、変調シンボル間のガードトーンを挿入し、該ガードトーンが挿入されたシンボルをパイロットトーン挿入器６１５へ出力する。パイロットトーン挿入器６１５は、制御部６３１からパイロットトーンの数及び位置情報、ＰＤＲ、及びデュアルＰＤＲ設定情報を受信し、ＰＤＲ値に合せて、送信パイロットトーンを挿入した後に、パイロットトーンが挿入されたシンボルをＩＦＦＴ処理器６１３へ出力する。パイロットトーン挿入器６１５は、ＥＢＣＭＣ送信形式又は送信スロット番号に従って、ＰＤＲ値を変えることができる。ＩＦＦＴ処理器６１３は、制御部６３１から受信された高速フーリエ変換（ＦＦＴ）サイズ値に従ってＩＦＦＴを遂行する。このように、ＩＦＦＴ処理されたシンボルは、ＣＰ挿入器６１１へ入力される。ＣＰ挿入器６１１は、制御部６３１により送信回数に従って異なって設定されるＣＰ長をコピーすることにより、ＯＦＤＭシンボルを生成する。
【００５８】
当該生成されたＯＦＤＭシンボルは、送信帯域にアップコンバート（図示せず）された後に、アンテナＡＮＴを介して無線チャンネル上に送信される。
【００５９】
図７は、本発明の実施形態によるＯＦＤＭシンボルを受信するための受信器の内部構成を示すブロック図である。図７の受信器は、ブロードキャストトラフィック、すなわち、ブロードキャスト物理層パケットを受信して周波数ダウンコンバートするための、図示していないＲＦ部と、該当するスロットの送信形式に従って、当該ブロードキャスト物理層パケットを受信し、該受信されたパケットを元来の信号に復元する受信部と、初期送信及び再送信動作の間に、当該ブロードキャスト物理層パケットが該当するスロット期間に従って受信されるように、ＲＦ部及び受信部の動作を制御する制御部と、を有する。
【００６０】
図７において、制御部７３１は、受信器の全般的な動作を制御し、特に、本発明の実施形態によるＯＦＤＭシンボルを受信するために必要とされる動作を遂行する。本発明の実施形態によるＯＦＤＭシンボルがＨＲＰＤシステムの場合に４-スロットインターレース方式を使用するので、制御部７３１は、４つのスロット単位でＯＦＤＭシンボルを受信し、図４と関連して説明した通り、１つのスロットで４つのＯＦＤＭシンボルを抽出する。また、ＯＦＤＭシンボル内のＣＰ長が送信回数に従って異なって設定されることができるので、制御部７３１は、ブロードキャストオーバーヘッドメッセージからＣＰ長を確認して、該ＣＰ長に従ってデータを復元するための制御動作を遂行する。すなわち、特定のＢＣＭＣＳが特定の形式で受信される場合には、制御部７３１は、形式インデックス、パケットサイズ、及び最大送信スロットの数に基づいて受信されたＯＦＤＭ信号がＢＣＭＣ送信形式に該当するＯＦＤＭシンボルとして受信されるように、他の構成要素を制御する。
【００６１】
ＣＰ除去器７１１は、制御部７３１から受信された情報に基づいて、受信されたＯＦＤＭシンボルからＩＳＩにより汚染されたＣＰを除去する。ＣＰが除去されたＯＦＤＭシンボルは、高速フーリエ変換（ＦＦＴ）処理器７１３へ入力される。ＦＦＴ処理器７１３は、制御部７３１から受信されたＦＦＴサイズ情報に従ってＩＦＦＴの逆過程を遂行する。このようにＦＦＴ処理された信号は、図７に示すように、２つの経路に分岐され、チャンネル推定器７１７及びチャンネル補償器７１５へ入力される。チャンネル推定器７１７は、ＦＦＴ処理されたＯＦＤＭシンボルからパイロットトーンを抽出して、トラフィックシンボルを補償するためのチャンネル推定値を生成する。かかるチャンネル推定のために、チャンネル推定器７１７は、制御部７３１からパイロットトーンの数及び位置、ガードトーンの数及び位置、及びＰＤＲ値を受信する。チャンネル補償器７１５は、チャンネル推定器７１７から受信されたチャンネル推定値を用いて、ＦＦＴ処理器７１３から受信されたトラフィックシンボルに対するチャンネル補償を遂行する。
【００６２】
上記したようにチャンネル補償されたシンボルは、復調器７１９へ入力される。復調器７１９は、制御部７３１から取得された変調次数に関する情報に従って送信器で変調された信号を復調し、該復調された信号をバッファ７２１へ入力する。バッファ７２１は、該復調された信号のログ尤度比(Log-Likelihood Ratio：ＬＬＲ)値を記憶する。本発明の実施形態で説明した通りに、複数のスロットを通してデータを送信する場合には、バッファ７２１は、複数のサブパケットを介して送信されたデータを記憶する。従って、１つのパケットに対する復号が終了すると、バッファ７２１に記憶されている全ての値は、‘０’にリセットされなければならない。特定のスロットが受信された後には、バッファ７２１に記憶されているデータは、デインターリーバ７２３へ出力される。デインターリーバ７２３は、チャンネルデインターリーバであり、制御部７３１から受信された、現在送信されたスロットのユニークな番号及びブロックのユニークな番号に従ってデインターリービングを遂行する。かかるデインターリービングは、送信の間に、送信器で遂行されたインターリービングの逆過程を遂行する過程である。すなわち、このデインターリービングは、入れ替えられたビットをさらに正常に配列する過程である。デインターリーバ７２３でデインターリービングされた信号は、復号器７２５へ入力される。復号器７２５は、デインターリービングされた信号を復号して情報ビットを出力する。この際、ユニキャストデータである場合には、復号器７２５は、復号誤り結果を制御部７３１へ出力する。その理由は、再送信を要求するためには、制御部７３１が復号誤り結果を受信しなければならないためである。また、ＢＣＭＣＳに対しても、復号器７２５は、復号誤り結果を送信することができ、これにより、制御部７３１が誤り訂正動作を遂行することができるようにする。
【００６３】
本発明の実施形態によるＢＣＭＣＳが送信される間に、各装置で遂行される動作について説明する。
【００６４】
図８は、本発明の実施形態による基地局におけるブロードキャストサービストラフィックを送信する過程を示すフローチャートである。
【００６５】
図８を説明するに先立って、図８の過程が各ブロードキャストサービスのトラフィックごとに遂行される動作であることに留意しなければならない。また、基地局がブロードキャストサービストラフィックを上位層から受信し、該受信されたブロードキャストサービストラフィックを端末にブロードキャストしなければならないと仮定する。ステップ８００で、基地局は、該当するブロードキャストサービスに対して、現在の送信パケットのユニークな番号、すなわち、送信回数を示すＮの値を‘１’に設定する。その後、ステップ８０２で、基地局は、Ｎが１であるか否かを検査する。Ｎの値を最初に設定した後に、基地局は、ステップ８０２を飛ばして進むことができる。しかしながら、説明の便宜上、基地局がステップ８０２を遂行すると仮定する。該検査の結果、ステップ８０２で、Ｎ＝１の場合には、基地局は、ステップ８０８へ進む。そうでない場合には、基地局は、ステップ８０４へ進む。ステップ８０８で、基地局は、Ｎの値に関連した形式で、パケットデータを用いてＯＦＤＭシンボルを生成し、１つのスロットの間にＯＦＤＭシンボルを送信するように制御する。このような制御動作については、下記の表を参照してさらに詳細に説明する。このようにパケットデータを送信した後に、基地局は、ステップ８１０で、Ｎの値を１増加させ、ステップ８０２へ戻る。
【００６６】
ステップ８０４で、基地局は、Ｎの値が最大値より小さいか又は同一であるか否かを検査する。上記最大値は、最大送信回数を示す。例えば、最大送信回数が３である場合には、最大値は３である。このように、Ｎの値が最大送信回数に達した後に、ステップ８１０で、Ｎの値が１増加した場合には、基地局は、ステップ８０６で、Ｎの値を‘１’に設定した後に、ステップ８０８へ進む。しかしながら、Ｎの値が最大値より大きくない場合には、ステップ８０８で、基地局は、該当する送信回数Ｎに関連した形式でパケットデータを送信する。例えば、基地局は、Ｎ＝１の場合には、ＯＦＤＭシンボルに対する初期送信を遂行し、Ｎ＝２の場合には、１番目の再送信を遂行し、Ｎ＝３の場合には、２番目の再送信を遂行する。
【００６７】
一方、基地局が送信したブロードキャストオーバーヘッドメッセージは、図８に図示されなかった。このようなオーバーヘッドに対して、基地局は、所定の期間で、ブロードキャストオーバーヘッドメッセージを生成して送信する。上述したようなブロードキャストオーバーヘッドメッセージは、ＯＦＤＭシンボルの構成形式に関する情報を具備する。かかる形式情報は、ＣＰ長、有効なチップの数、パイロットトーンの数、ガードトーンの数、ＰＤＲ、デュアルＰＤＲ設定値、及び変調次数などで定義されることができる。
【００６８】
図９は、本発明の実施形態による端末におけるブロードキャストサービストラフィックを受信する過程を示すフローチャートである。
【００６９】
図９を説明するに先立って、端末で遂行される前提条件について説明する。端末のユーザーがブロードキャストサービスの受信を希望しなければならず、端末が基地局から周期的に受信されたブロードキャストオーバーヘッドメッセージを受信して、所望のブロードキャストトラフィックに関する情報を取得しなければならない。また、最初のブロードキャストサービスを受信するためには、必要であれば、端末が認証及び登録過程を行った後でなければならない。かかる過程を通して、端末は、上記受信されたブロードキャストオーバーヘッドメッセージから所望のブロードキャストサービスに関する情報を抽出する。該抽出された情報は、ユーザーが所望するブロードキャストサービスに対するＢＣＭＣフローＩＤ、所望のブロードキャストサービスが送信されるチャンネルの送信速度、ブロードキャストサービスが送信される論理チャンネルを構成する物理チャンネルに関する情報、形式インデックス、及びブロードキャスト送信スロットの数を具備する。端末は、形式インデックスに基づいて、端末と基地局との間で定義されたＯＦＤＭシンボル構成及び変調次数を認識することができる。その後、スロットごとに、ブロードキャストオーバーヘッドメッセージを検査する。
【００７０】
上記した前提条件を満足した状態で、本発明の実施形態による端末の動作について説明する。ステップ９００で、端末は、現在のスロットが所望のブロードキャストサービスを受信するためのスロットであるか否かを検査する。該検査の結果、現在のスロットが所望のブロードキャストサービスを受信するためのスロットである場合には、端末は、ステップ９０４へ進む。そうでない場合には、端末は、ステップ９０２へ進んで、受信メッセージを処理する動作を遂行する。
【００７１】
かかる受信メッセージ処理モードは、ブロードキャストオーバーヘッドメッセージを受信する過程を具備する。ステップ９０４で、端末は、現在の受信スロットの順序を計算し、すなわち、現在の受信スロットが何番目に送信されるスロットであるかを検査する。現在の受信スロットが何番目のスロットであるかを計算した後に、端末は、ステップ９０６で、現在のスロットのフォーマットに従ってＯＦＤＭシンボルを受信する。例えば、現在受信されたスロットの送信回数がＭである場合には、端末は、Ｍ番目の受信に関連した形式で、受信信号をＯＦＤＭシンボルと解釈して、受信過程を遂行する。端末は、Ｍ番目の受信形式に該当するＰＤＲを用いてチャンネル推定を遂行する。その後、端末は、Ｍ番目の受信形式に該当する変調次数に従って復調を遂行する。ステップ９０８で、端末は、図７に示したバッファ７２１の所定の領域に上記受信されたデータを記憶する。端末は、上記復調されたシンボルをバッファ７２１で現在のパケットのためのＭ番目のスロットに該当する領域に記憶する。その後、ステップ９１０で、端末は、受信回数がシステムで定められた最大送信回数に達したか否かを検査する。該検査の結果、受信回数が最大送信回数に達した場合には、端末は、ステップ９１２で、バッファ７２１に記憶されたデータを復号する。しかしながら、受信回数が最大送信回数に達していない場合には、端末は、受信回数が最大送信回数に達するまで待機する。端末は、端末の構成により、受信回数が最大値に到達する前でも、復号を試みることができることに留意しなければならない。端末が復号に失敗した場合には、次のブロードキャスト送信スロットでサブパケットを受信した後に、該受信されたサブパケットをバッファ７２１の該当領域に記憶する。その後、端末は、復号をさらに試みることができる。
【００７２】
本発明の実施形態では、各送信回数に従ってＯＦＤＭ形式を異ならせてブロードキャストデータを送信する方法について詳細に説明する。
【００７３】
ここでは、複数のＯＦＤＭ信号送信形式を使用するシステムで信号送信形式を定義するための方法について詳細に説明する。本発明の実施形態による送信形式の構成要素は、上述したように、変調次数及びＰＤＲ値を具備することができる。また、ＰＤＲ値は、１つのスロットで送信された４個のＯＦＤＭシンボルの各々が内部シンボル（例えば、図４での２番目及び３番目のシンボル）であるか、又は境界シンボル（例えば、図４での１番目及び４番目のシンボル）であるかによって設定されることができる。
【００７４】
一般的に、単一周波数網（ＳＦＮ）方式のＯＦＤＭブロードキャストシステム（通信システムに基づくブロードキャストシステムを具備する）は、ＳＦＮ利得を得るために、ＯＦＤＭシンボルのＣＰ長を比較的長く設定する。上述したように、ＣＰは、ＯＦＤＭシンボルの前段に付加された信号であり、ＣＰ期間は、受信器が多重経路信号を受信する際に発生するＩＳＩを抑制するために提供された信号期間である。受信器で最初に受信した信号に基づいて、ＣＰ期間よりさらに遅延して到着したＯＦＤＭシンボルは、受信器でＩＳＩを引き起こして、受信性能を減少させる。従って、伝搬遅延が大きいＳＦＮ通信システムは、できるだけ、干渉を抑制し、信号の強度を十分に大きく作ることができるように、保護期間、すなわち、ＣＰを比較的長く設定する。これは、ＣＤＭＡ２０００ ＨＲＰＤシステムで提供されたＢＣＭＣＳにも適用される。ＣＤＭＡ２０００ ＨＲＰＤシステムにおいては、特定の領域でのセルが同一のブロードキャスト信号を送信し、干渉を減少させ、受信品質を向上させるためには、受信器が可能な多くの信号を合わせることが好ましい。従って、上述したように、システムは、ＯＦＤＭシンボルのＣＰ期間を長く設定する。
【００７５】
しかしながら、他のブロードキャスト領域との境界地点に位置したセル、又は、陰影領域に位置したセルが単一送信で受信率を減少させるため、かかる受信率の減少を補償するためには、ユニキャストスロットを用いてＢＣＭＣパケットを再送信する。一般的に、再送信は、受信環境が悪い領域のみで遂行される。このように、同一の信号が送信されるセル領域の減少は、受信器に到着する信号の遅延時間を減少させ、その結果、ＯＦＤＭシンボルのＣＰ期間を長く設定する必要がない。すなわち、再送信時点でＳＦＮ利得を得ることができない。特定のセルで、再送信が２回以上発生する場合には、再送信回数の増加が再送信が発生するセルの数を減少させるため、信号の遅延時間も減少させる。すなわち、上述したように、図５Ａ乃至図５Ｃに関連して説明した通り、再送信が継続して発生する場合には、再送信が遂行されるセルの数は、再送信が発生する度に減少する。
【００７６】
このように、再送信の間に、ブロードキャスト受信特性が変わる点を考慮すれば、再送信の間に、受信環境に従ってＯＦＤＭ信号の形式を変更することができる。すなわち、再送信の間には、ＣＰ期間の長さを減少させることにより、データシンボルの比重を増加させることができ、その結果、符号化率を減少させ、受信性能を向上させることができる。
【００７７】
＜表１＞は、送信可能なＯＦＤＭシンボルの形式の例を示す。
【００７８】
【表１】
2011030277.tif 000003
【００７９】
当該技術分野における通常の知識を有する者であれば、送信形式が変更されることができることをわかる。上記の＜表１＞において、ＣＰ長が長いフォーマットであるほど、さらに長い多重経路遅延を許容する。ＣＰ長が長いフォーマットを使用すれば、さらに多くのＳＦＮ利得を得る。それとは逆に、ＣＰ長が短いフォーマットを使用すれば、データ送信量を増加させる。上記の＜表１＞で使用された用語は、下記のように定義される。
（１）ＣＰ期間（すなわち、保護期間）：ＨＲＰＤシステムにおいて、１／２スロット内に挿入された１つのＯＦＤＭシンボルのうち、ＣＰ期間で使用可能なチップの数を示す。
（２）有効データ：ＨＲＰＤシステムにおいて、１／２スロット内に挿入された１つのＯＦＤＭシンボルのうち、保護期間、すなわち、ＣＰ期間を除いて、データ送信に使用可能なチップの数を示す。
（３）パイロットトーンの個数：ＨＲＰＤシステムにおいて、１／２スロット内に挿入された１つのＯＦＤＭシンボルのうち、有効データ期間内に挿入されたパイロットトーンの個数を示す。
（４）ガードトーンの個数：ＨＲＰＤシステムにおいて、１／２スロット内に挿入された１つのＯＦＤＭシンボルのうち、有効データ期間内に挿入されたガードトーンの個数を示す。
【００８０】
図１０は、本発明の他の実施形態による４-スロットインターレース方式で２回の再送信を遂行する場合を示すタイミング図である。
【００８１】
図１０では、１つの符号化器パケットを構成する第１のパケット（パケット＃１）、第２のパケット（パケット＃２）、第３のパケット（パケット＃３）、及び第４のパケット（パケット＃４）が２回再送信され、隣接したタイムスロットでは、送信がなされない。第１のパケット（パケット＃１）及び第２のパケット（パケット＃２）が送信されるタイムスロット１００１及び１００３とユニキャスト送信がなされるタイムスロット１００２及び１００４とが４-スロットインターレース方式を採用していることをわかる。従って、パケット＃１及びパケット＃２の初期送信では、シンボル構成-０タイプのＯＦＤＭシンボルが１６ＱＡＭで変調されて送信され、２番目の送信、すなわち、１番目の再送信のタイムスロット１０１１及び１０１３では、２番目の送信でもユニキャスト送信がなされるスロット１０１２及び１０１４は、同一の方法で送信される。最後の３番目の送信、すなわち、２番目の再送信では、初期送信とは異なり、シンボル構成-１タイプのＯＦＤＭシンボルがＱＰＳＫで変調されて送信される。このように、送信スロットの順序に該当するシンボル構成及び変調方法を用いて、３回の送信が全て完了した後に、次のパケットが送信される。すなわち、パケット＃３及びパケット＃４の初期送信がなされる期間は、参照符号１０３１及び参照符号１０３３で示される。
【００８２】
図１０の例において、基地局が１つのパケットを送信する方法は、次のような要素を具備する。
（１）符号化器パケットサイズ
（２）スパン（すなわち、送信スロット数）
（３）スロット別ＯＦＤＭシンボル構成（すなわち、送信スロット別ＯＦＤＭシンボル構成）
（４）スロット別変調次数（すなわち、送信スロット別変調次数）
（５）ＰＤＲ別（すなわち、送信スロット別ＰＤＲ）
【００８３】
このようなパケット送信方式を簡素に示すために、上記の要素のうち、スロット別ＯＦＤＭシンボル構成及びスロット別変調次数を１つのフォーマットで示す。３通りのシンボル構成及び２通りの変調次数だけを考慮した場合には、下記の＜表２＞に示すように、総６種類の組合せが可能であり、可能な６種類の組合せの各々は、形式Ａから形式Ｆと名づけられる。可能な構成の数は、シンボル構成の数及び変調次数の数に従って拡張可能である。
【００８４】
【表２】
2011030277.tif 000004
【００８５】
本発明の実施形態を効率的に適用するために、基地局は、状況に合う適切なスロット数及び個々のスロットに対する送信形式（スロット別送信形式）を予め定義し、適切な方法を用いて、当該スロット数及びスロット別送信形式に関する情報を端末に提供する必要がある。あるいは、端末は、当該スロット数及びスロット別送信形式に関する情報を予め有することもできる。以下では、当該スロット数及びスロット別送信形式が形式インデックス値で示されるように、端末と基地局との間で約束したと仮定する。
【００８６】
上記の＜表２＞に示したように、ＯＦＤＭシンボル構成と変調次数との組合せが１つのフォーマットで定義された場合には、下記の＜表３＞で定義された多様な送信方法（スパン及び送信形式）が存在する。多様な送信形式の組合せが存在しても、下記の＜表３＞の送信形式の組合せは、次の２つの条件を満足する。
（Ａ）送信回数の増加は、変調次数を保持するか、または減少させる。
（Ｂ）送信回数の増加は、有効データチップの数を保持するか、または減少させる。
【００８７】
上記２つの条件は、再送信回数が増加するにつれて、ＢＣＭＣ信号が送信される領域の数が減少する点を考慮することにより得られることができる。
【００８８】
下記の＜表３＞は、３回の送信を行うシステムが各スロット別に使用する送信形式を示す。それぞれの場合は、形式インデックスを示す数で表現されることができる。例えば、形式インデックス値‘１’は、３つのスロットの各々が送信形式Ａ、送信形式Ｂ、及び送信形式Ｃで送信されることを示す。
【００８９】
【表３】
2011030277.tif 000005
【００９０】
上記の＜表３＞に示したように、スロット別送信形式を予め定義しておく場合には、基地局は、形式インデックス、例えば、ブロードキャストオーバーヘッドメッセージだけでも、該当する領域で使用されたブロードキャストタイプ及び送信形式を示す情報を端末に提供することができる。３つのスロット未満が送信される場合のために、基地局は、スパン及び形式インデックスをともに端末に提供する必要がある。また、これら２つのパラメータ、すなわち、スパン及び形式インデックスを１つのパラメータにまとめて、この１つのパラメータをＥＢＣＭＣ送信形式で示すことができる。
【００９１】
また他の方法では、基地局は、形式インデックスだけを端末に提供することができる。すなわち、基地局がスパン（すなわち、送信スロットの総数）を提供しないとしても、端末は、全ての可能な場合を考慮して復号を試みることにより復号を遂行することができる。基地局は、形式インデックスだけを提供して、実際のスパンを自発的に決定することができる。この実際のスパンが形式インデックスを通して決定されたスパンより小さい場合には、基地局は、残りのスロットの間にはユニキャストパケットを送信することができる。
【００９２】
上述した方法を使用するためのブロードキャストオーバーヘッドメッセージの構成を下記の＜表４＞に示す。
【００９３】
【表４】
2011030277.tif 000006
【００９４】
上記の＜表４＞のメッセージは、各ＢＣＭＣＳフロー別にパケットを付加的に送信するか否かを示し、この場合には、ＯＦＤＭ形式インデックスを用いてスロット別送信形式を提供することができる。また、隣接セルでの送信情報を提供するためには、このメッセージは、同一の方式で、隣接セルでのパケットを付加的に送信するか否かを示し、この場合には、形式インデックスフィールドを用いてスロット別送信形式を提供する。上記の＜表４＞で使用される各フィールドは、次のような目的のために使用される。
（１）Ｎｅｉｇｈｂｏｒ Ｃｏｕｎｔ：このメッセージに具備されているブロードキャスト送信情報を具備する隣接セルの数を示す。
（２）ＮｕｍＥｘｔｅｎｄｅｄＳｌｏｔＩｎｃｌｕｄｅｄ：定められた送信スロット及び送信方法の他に追加的な送信を示すフィールドを具備しているか否かを示す指示子である。この定められた送信スロット及び送信方法は、このメッセージに具備されている全ての隣接セルに同一に適用されるが、この指示子により具備された情報は、セルごとに変わることができる。
（３）ＢＣＭＣＳＦｌｏｗＣｏｕｎｔ：このメッセージに具備されているＢＣＭＣＳフローの数を示す。
（４）ＢＣＭＣＳＦｌｏｗＩＤ：該当するブロードキャストサービスの識別子である。
（５）ＮｕｍＥｘｔｅｎｄｅｄＳｌｏｔ：パケット単位で追加的に送信されるスロットの数を示し、上記の＜表４＞において、このフィールドは、“ＮｕｍＥｘｔｅｎｄｅｄＳｌｏｔＩｎｃｌｕｄｅｄ”が‘１’である場合のみに具備される。
（６）ＦｏｒｍａｔＩｎｄｅｘ：送信のために使用される送信形式を示す。上記の＜表４＞において、このフィールドは、“ＮｕｍＥｘｔｅｎｄｅｄＳｌｏｔＩｎｃｌｕｄｅｄ”＝‘１’及び“ＮｕｍＥｘｔｅｎｄｅｄＳｌｏｔ”＝‘０’の場合のみに具備される。
【００９５】
上記の＜表３＞は、本発明の実施形態に従って構成可能な送信形式の組合せを示す。実際の移動通信システムにおいては、システム設計及び検証を簡素化するために、上記の＜表３＞に示した送信形式のうちの一部だけを選択して使用することができる。
【００９６】
下記の＜表５＞乃至＜表８＞は、送信可能な全ての組合せのうちで、一部の送信形式だけを選択して使用する場合に選択可能な組合せの実施形態を示す。すなわち、下記の＜表５＞乃至＜表８＞の実施形態は、パケットサイズ別／送信スロット別に相互に異なるＯＦＤＭシンボル形式／スロット別変調次数を定義して、ＯＦＤＭシンボル形式／スロット別変調次数の全てを１つの送信形式組合せと見なす。この送信形式組合せをモードと定義する。すなわち、基地局又は端末は、送信／受信パケットサイズ、スロットに該当するＯＦＤＭシンボル、及び変調次数を送信（基地局）／受信（端末）のために使用する。
【００９７】
【表５】
2011030277.tif 000007
【００９８】
上記の＜表５＞は、予め定められたデフォールトモード又は固定されたモードに対する送信形式の例を示す。上記の＜表５＞において、パケットサイズが２０４８、３０７２、４０９６、及び５１２０である場合には、初期送信及びその後に行われる送信が同一の変調次数（すなわち、変調方式）及び同一のＯＦＤＭ形式を有する。また、上記の＜表５＞に明示されたモードに対する送信は、本発明が適用されない従来技術に基づいて構成される。
【００９９】
【表６】
2011030277.tif 000008
【０１００】
上記の＜表６＞は、本発明の実施形態によって構成された領域基盤モードの送信形式を示す。上記の＜表６＞の送信形式は、次のような基準に基づいて決定される。
（１）チャンネル符号化率が１以下となる送信までは、送信形式に関連した変調次数及びＯＦＤＭ形式を使用する。
（２）チャンネル符号化率が１より小さくなった後の送信からは、ＯＦＤＭ形式を１ステップずつ変更する。例えば、ＯＦＤＭ形式は、３２０トーンから３６０トーンに、３６０トーンから３８４トーンに１ステップずつ変更される。
（３）上記の（２）で説明した通り、ＯＦＤＭ形式が変更される場合には、１６ＱＡＭもＱＰＳＫに変更される。
【０１０１】
【表７】
2011030277.tif 000009
【０１０２】
上記の＜表７＞は、本発明の実施形態によって構成された領域基盤モードの他の送信形式を示す。上記の＜表７＞の送信形式は、次のような基準に基づいて決定される。
（１）１回の送信が１．６６６７ｍｓの送信期間で遂行されるという仮定下に、所定のモードに関連した送信形式は、１Ｍｂｐｓの基準送信速度よりさらに高いデータ送信速度で使用される。ＯＦＤＭ形式は、基準送信速度よりさらに低いデータ送信速度では、上記の＜表６＞で説明したように、１ステップずつ変更される。
（２）上記の（１）で説明した通り、ＯＦＤＭ形式が変更される場合には、１６ＱＡＭもＱＰＳＫに変更される。
【０１０３】
上記の＜表７＞の送信形式を決定するのに使用された基準の適用例であり、２０４８ビットに対する２番目の送信である場合には、データ送信速度が６１４．４ｋｂｐｓ（＝２０４８／（１．６６６７ｍｓ＊２））であるので、２番目の送信からは、３６０トーンのＯＦＤＭ形式及びＱＰＳＫ変調を使用する。１Ｍｂｐｓの特定のデータ送信速度に基づくモードで、上記の＜表７＞の送信形式を変更するか否かを決定する。他のデータ送信速度が使用されても、このような方式が同一の方法で適用されることができることは、当該技術分野における通常の知識を有する者には、自明であろう。
【０１０４】
【表８】
2011030277.tif 000010
【０１０５】
上記の＜表８＞は、本発明の他の実施形態によって構成された領域基盤モードの送信形式を示す。上記の＜表８＞の送信形式は、次のような基準に基づいて決定される。
（１）最後の送信では、ＯＦＤＭ形式は、常に１ステップずつ変更される。例えば、ＯＦＤＭ形式は、３２０トーンから３６０トーンに、３６０トーンから３８４トーンに変更される。
（２）ＯＦＤＭ形式が変更される場合には、１６ＱＡＭもＱＰＳＫに変更される。
【０１０６】
【表９】
2011030277.tif 000011
【０１０７】
上記の＜表９＞は、本発明の他の実施形態によって構成された領域基盤モードの送信形式を示す。上記の＜表９＞の送信形式は、次のような基準に基づいて決定される。
（１）チャンネル符号化率が１以下となる送信までは、送信形式に関連した変調次数及びＯＦＤＭ形式を使用する。
【０１０８】
移動通信システムは、上記の＜表５＞に示した所定のモードに対する送信形式を基本的に支援して、上記の＜表６＞乃至＜表９＞に示した領域基盤モードの送信形式のうちの１つを追加的に支援することができる。従って、各モードは、上記の＜表３＞に示した通り、送信形式インデックスでインデキシングされて、シグナリングメッセージ又はブロードキャストオーバーヘッドメッセージを介して基地局から端末へ送信されることができる。この場合には、該当するフィールドは、モードインデックスと名付けられることができる。端末は、モードインデックスではないフィールドを用いて、基地局が送信するパケットのサイズ情報を直接的又は間接的に提供することができるので、モードインデックス及び現在のブロードキャストサービスのパケットサイズ情報を用いて、受信のために使用されるスロット及びＯＦＤＭ形式を決定することができる。このように支援された送信形式の種類を減少させることは、移動通信システムの送受信器の実現を簡素化することができる。
【０１０９】
【表１０】
2011030277.tif 000012
【０１１０】
上記の＜表１０＞は、上記の＜表９＞で言及したモードインデックス、符号化器パケットサイズ、及びスパンの組合せを１つのインデックスＥＢＣＭＣＳ送信形式で表現する。
【０１１１】
上記の＜表１０＞は、上記の＜表５＞及び＜表９＞に提示されたモードをまとめて作られた１つのモードを示す。ＥＢＣＭＣＳ送信形式の最上位ビット（ＭＳＢ）がモードインデックスの役割をする。すなわち、ＭＳＢが‘０’である場合には、送信器は、ＯＦＤＭシンボル形式を変更することなく送信を継続し、ＭＳＢが‘１’である場合には、送信器は、上記の＜表９＞で言及したモードで動作する。すなわち、ＭＳＢ＝１は、２番目のスロット（符号化器パケットサイズが２０４８、３０７２、及び４０９６である場合）又は３番目のスロット（符号化器パケットサイズが５１２０である場合）からＯＦＤＭシンボル形式を変更するモードを示す。
【０１１２】
“スパン１のトーン数”は、ＯＦＤＭシンボル形式が変更されない期間で使用されたＯＦＤＭ形式のトーン数を示し、“スパン２のトーン数”は、ＯＦＤＭシンボル形式が変更される期間で使用されたＯＦＤＭ形式のトーン数を示す。“物理層パケットサイズ”は、符号化器パケットのサイズを示す。“スパン１”及び“スパン２”は、ＯＦＤＭシンボル形式が変更されないスロット数及びＯＦＤＭシンボル形式が変更されるスロット数をそれぞれ示す。上記の＜表９＞に示したように、最大スパンが３つのスロットであるか、又は４つのスロットであるかに無関係に、形式の変更は１回のみ発生する。
【０１１３】
次いで、上記提示されたインデキシング方法がどのようにブロードキャストオーバーヘッドメッセージに適用されることができるかについて説明する。下記の＜表１１＞に示すメッセージは、０番目及び３番目のＯＦＤＭブロックのＰＤＲは、１番目及び２番目のＯＦＤＭブロックのＰＤＲと異なって設定されることができるように構成される。また、下記の＜表１１＞は、可変形式が適用される場合には、デュアルＰＤＲを設定するための方法の例を示す。
【０１１４】
【表１１】
2011030277.tif 000013
【０１１５】
上記の＜表１１＞に示した各フィールドの詳細について説明する。
（１）ＤｕａｌＰＤＲＥｎａｂｌｅｄ：アクセスネットワーク、すなわち、基地局又は基地局制御器は、デュアルパイロット対データ利得（dual pilot-to-data gain）を使用する場合には、このフィールドを‘１’に設定する。そうでない場合には、アクセスネットワークは、このフィールドを‘０’に設定する。
（２）ＢＣＭＣＳＦｌｏｗＣｏｕｎｔ：アクセスネットワークが送信した上記の＜表１１＞のメッセージに具備されているＢＣＭＣＳフロー識別子の数を示す。
（３）ＢＣＭＣＳＦｌｏｗＩＤ：アクセスネットワークが設定し、特定のＢＣＭＣフローのＢＣＭＣＳフロー識別子で設定される値である。
（４）ＬｏｇｉｃａｌＣｈａｎｎｅｌＳａｍｅＡｓＰｒｅｖｉｏｕｓＢＣＭＣＳＦｌｏｗ：ＢＣＭＣフローがこのメッセージに記録された以前のＢＣＭＣフローと同一の論理チャンネルを介して送信される場合には、アクセスネットワークは、このフィールドを‘１’に設定する。そうでない場合には、アクセスネットワークは、このフィールドを‘０’に設定する。
（５）ＰｈｙｓｉｃａｌＣｈａｎｎｅｌＣｏｕｎｔ：上記の（４）で説明したＬｏｇｉｃａｌＣｈａｎｎｅｌＳａｍｅＡｓＰｒｅｖｉｏｕｓＢＣＭＣＳＦｌｏｗが‘１’に設定される場合には、アクセスネットワークは、このフィールドを省略する。そうでない場合には、このフィールドは、０〜６４の範囲内で、論理チャンネルを構成するインターレースマルチプレクス対の個数を設定する。
（６）ＥＢＣＭＣＳＴｒａｎｓｍｉｓｓｉｏｎＦｏｒｍａｔ：上記の（４）で説明したＬｏｇｉｃａｌＣｈａｎｎｅｌＳａｍｅＡｓＰｒｅｖｉｏｕｓＢＣＭＣＳＦｌｏｗが‘１’に設定される場合、あるいは、上記の（５）で説明したＰｈｙｓｉｃａｌＣｈａｎｎｅｌＣｏｕｎｔが‘０’に設定される場合には、アクセスネットワークは、このフィールドを省略する。そうでない場合には、アクセスネットワークは、上記の＜表１０＞に従って、この論理チャンネルを送信するために使用された拡張された（Extended）ブロードキャスト送信形式を設定する。
（７）ＤＣＰｉｌｏｔＴｏＤａｔａＧａｉｎ：上記の（４）で説明したＬｏｇｉｃａｌＣｈａｎｎｅｌＳａｍｅＡｓＰｒｅｖｉｏｕｓＢＣＭＣＳＦｌｏｗが‘１’に設定される場合、あるいは、上記の（５）で説明したＰｈｙｓｉｃａｌＣｈａｎｎｅｌＣｏｕｎｔが‘０’に設定される場合には、アクセスネットワークは、このフィールドを省略する。そうでない場合には、アクセスネットワークは、このフィールドをゼロ周波数のパイロットトーン対非ゼロ周波数のデータトーンの電力比に設定する。このフィールドが‘１００００’に設定される場合には、このフィールド値は、線形領域で‘０’と解釈される。そうでない場合には、このフィールド値は、０．５ｄＢステップサイズで２の補数と解釈される。
（８）ＤｕａｌＰＤＲＥｎａｂｌｅｄＦｏｒＴｈｉｓＬｏｇｉｃａｌＣｈａｎｎｅｌ：ＤｕａｌＰＤＲＥｎａｂｌｅｄが‘０’に設定される場合、上記の（４）で説明したＬｏｇｉｃａｌＣｈａｎｎｅｌＳａｍｅＡｓＰｒｅｖｉｏｕｓＢＣＭＣＳＦｌｏｗが‘１’に設定される場合、あるいは、上記の（５）で説明したＰｈｙｓｉｃａｌＣｈａｎｎｅｌＣｏｕｎｔが‘０’に設定される場合には、アクセスネットワークは、このフィールドを省略する。そうでない場合には、アクセスネットワークは、このフィールドを次の通りに設定する。すなわち、アクセスネットワークは、デュアルＰＤＲがこの論理チャンネルに使用される場合には、このフィールドを‘１’に設定する。そうでない場合には、アクセスネットワークは、このフィールドを‘０’に設定する。
（９）ＡＣＰｉｌｏｔＴｏＤａｔａＧａｉｎＲｅｃｏｒｄ：上記の（８）で説明したＤｕａｌＰＤＲＥｎａｂｌｅｄＦｏｒＴｈｉｓＬｏｇｉｃａｌＣｈａｎｎｅｌがこのメッセージに具備されていない場合には、アクセスネットワークは、このフィールドを省略する。そうでない場合には、アクセスネットワークは、このフィールドを次の通りに設定する。
-ＤｕａｌＰＤＲＥｎａｂｌｅｄＦｏｒＴｈｉｓＬｏｇｉｃａｌＣｈａｎｎｅｌが‘０’に設定され、上記の（６）で説明したＥＢＣＭＣＳＴｒａｎｓｍｉｓｓｉｏｎＦｏｒｍａｔのＭＳＢが‘０’に設定される場合には、アクセスネットワークは、このレコードを下記の＜表１２＞に定義された通りに設定する。
-上記の（８）で説明したＤｕａｌＰＤＲＥｎａｂｌｅｄＦｏｒＴｈｉｓＬｏｇｉｃａｌＣｈａｎｎｅｌが‘０’に設定され、上記の（６）で説明したＥＢＣＭＣＳＴｒａｎｓｍｉｓｓｉｏｎＦｏｒｍａｔのＭＳＢが‘１’に設定される場合には、アクセスネットワークは、このレコードを下記の＜表１３＞に定義された通りに設定する。
-上記の（８）で説明したＤｕａｌＰＤＲＥｎａｂｌｅｄＦｏｒＴｈｉｓＬｏｇｉｃａｌＣｈａｎｎｅｌが‘１’に設定され、このＭＳＢが‘０’に設定される場合には、アクセスネットワークは、このフィールドを下記の＜表１４＞に定義された通りに設定する。
-ＤｕａｌＰＤＲＥｎａｂｌｅｄＦｏｒＴｈｉｓＬｏｇｉｃａｌＣｈａｎｎｅｌが‘１’に設定され、上記の（６）で説明したＥＢＣＭＣＳＴｒａｎｓｍｉｓｓｉｏｎＦｏｒｍａｔのＭＳＢが‘１’に設定される場合には、アクセスネットワークは、このレコードを下記の＜表１５＞に定義された通りに設定する。
【０１１６】
上述した条件は、下記の＜表１２＞乃至＜表１５＞で定義され、下記の＜表１２＞乃至＜表１５＞に示す各フィールドについての詳細を説明する。
【０１１７】
【表１２】
2011030277.tif 000014
【０１１８】
上記の＜表１２＞において、アクセスネットワークは、ＡＣＰｉｌｏｔＴｏＤａｔａＧａｉｎフィールドを非ゼロ周波数のパイロットトーン対非ゼロ周波数のデータトーンの電力比に設定する。このフィールドは、０．５ｄＢステップサイズで２の補数で表現されることができる。
【０１１９】
【表１３】
2011030277.tif 000015
【０１２０】
上記の＜表１３＞において、アクセスネットワークは、ＡＣＰｉｌｏｔＴｏＤａｔａＧａｉｎ１フィールドをスパン１のスロットに対する非ゼロ周波数のパイロットトーン対非ゼロ周波数のデータトーンの電力比に設定する。このフィールドは、０．５ｄＢステップサイズで２の補数で表現されることができる。また、アクセスネットワークは、ＡＣＰｉｌｏｔＴｏＤａｔａＧａｉｎ２フィールドをスパン２のスロットに対する非ゼロ周波数のパイロットトーン対非ゼロ周波数のデータトーンの電力比に設定する。このフィールドは、０．５ｄＢステップサイズで２の補数で表現されることができる。
【０１２１】
【表１４】
2011030277.tif 000016
【０１２２】
上記の＜表１４＞において、アクセスネットワークは、ＡＣＩｎｔｅｒｎａｌＰｉｌｏｔＴｏＤａｔａＧａｉｎフィールドをＯＦＤＭブロック１及びＯＦＤＭブロック２の各々の非ゼロ周波数のパイロットトーン対非ゼロ周波数のデータトーンの電力比に設定する。このフィールドは、０．５ｄＢステップサイズで２の補数で表現されることができる。また、アクセスネットワークは、ＡＣＢｏｕｎｄａｒｙＰｉｌｏｔＴｏＤａｔａＧａｉｎフィールドをＯＦＤＭブロック０及びＯＦＤＭブロック３の各々の非ゼロ周波数のパイロットトーン対非ゼロ周波数のデータトーンの電力比に設定する。このフィールドは、０．５ｄＢステップサイズで２の補数で表現されることができる。
【０１２３】
【表１５】
2011030277.tif 000017
【０１２４】
上記の＜表１５＞において、アクセスネットワークは、ＡＣＩｎｔｅｒｎａｌＰｉｌｏｔＴｏＤａｔａＧａｉｎ１フィールドをスパン１のＯＦＤＭブロック１及びＯＦＤＭブロック２の各々の非ゼロ周波数のパイロットトーン対非ゼロ周波数のデータトーンの電力比に設定する。このフィールドは、０．５ｄＢステップサイズで２の補数で表現されることができる。
【０１２５】
また、アクセスネットワークは、ＡＣＢｏｕｎｄａｒｙＰｉｌｏｔＴｏＤａｔａＧａｉｎ１フィールドをスパン１のＯＦＤＭブロック０及びＯＦＤＭブロック３の各々の非ゼロ周波数のパイロットトーン対非ゼロ周波数のデータトーンの電力比に設定する。ＯＦＤＭブロック０及びＯＦＤＭブロック３の各々の非ゼロ周波数のパイロットトーン対非ゼロ周波数のデータトーンの電力比に設定する。このフィールドは、０．５ｄＢステップサイズで２の補数で表現されることができる。
【０１２６】
アクセスネットワークは、ＡＣＩｎｔｅｒｎａｌＰｉｌｏｔＴｏＤａｔａＧａｉｎ２フィールドをスパン２のＯＦＤＭブロック１及びＯＦＤＭブロック２の各々の非ゼロ周波数のパイロットトーン対非ゼロ周波数のデータトーンの電力比に設定する。このフィールドは、０．５ｄＢステップサイズで２の補数で表現されることができる。
【０１２７】
終わりに、アクセスネットワークは、ＡＣＢｏｕｎｄａｒｙＰｉｌｏｔＴｏＤａｔａＧａｉｎ２フィールドをスパン２のＯＦＤＭブロック０及びＯＦＤＭブロック３の各々の非ゼロ周波数のパイロットトーン対非ゼロ周波数のデータトーンの電力比に設定する。このフィールドは、０．５ｄＢステップサイズで２の補数で表現されることができる。
【０１２８】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【符号の説明】
【０１２９】
３０１  端末
３１１、３１２  基地局（基地局送受信器（ＢＴＳｓ））
【図１】
2011030277.tif 000018
【図２】
2011030277.tif 000019
【図３】
2011030277.tif 000020
【図４】
2011030277.tif 000021
【図５Ａ】
2011030277.tif 000022
【図５Ｂ】
2011030277.tif 000023
【図５Ｃ】
2011030277.tif 000024
【図６】
2011030277.tif 000025
【図７】
2011030277.tif 000026
【図８】
2011030277.tif 000027
【図９】
2011030277.tif 000028
【図１０】
2011030277.tif 000029